(57)【要約】【課題】利便性を向上させることを目的とする。【解決手段】ノートＰＣ１は、第１筐体２と、第１筐体２に対して開閉可能に連結された第２筐体３と、第２筐体３に設けられたメインディスプレイ８と、第１筐体２において第２筐体３の端部側に沿って設けられたサブディスプレイ１０と、第１筐体２の上面において側部に設けられたタッチパッド６と、タッチパッド６の操作面において所定の面積閾値以上の接触面積が検出された場合に、所定のアプリケーションを起動させるアプリケーション実行部と、起動させた所定のアプリケーションに関する表示をサブディスプレイ１０に行う表示制御部とを備えている。【選択図】図４
2020140470.tif 000002
【特許請求の範囲】
【請求項１】
第１筐体と第２筐体とを備え、前記第１筐体に対して前記第２筐体が開閉可能に連結された情報処理装置であって、
前記第２筐体に設けられたメインディスプレイと、
前記第１筐体において前記第２筐体の端部側に沿って設けられたサブディスプレイと、
前記第１筐体の上面において側部に設けられたタッチパッドと、
前記タッチパッドの操作面において所定の面積閾値以上の接触面積が検出された場合に、所定のアプリケーションを起動させるアプリケーション実行部と、
起動させた前記所定のアプリケーションに関する表示を前記サブディスプレイに行う表示制御部と
を具備する情報処理装置。
【請求項２】
前記表示制御部は、前記サブディスプレイの表示領域の中で前記タッチパッドの近傍の領域に前記所定のアプリケーションに関する表示を行う請求項１に記載の情報処理装置。
【請求項３】
前記サブディスプレイは、ペン入力を受け付け可能であり、
前記所定のアプリケーションはペン入力を受け付けるアプリケーションであり、
前記表示制御部は、前記サブディスプレイに前記所定のアプリケーションのウィンドウを表示させる請求項１または２に記載の情報処理装置。
【請求項４】
前記表示制御部は、前記サブディスプレイに表示されている前記所定のアプリケーションにおいて保存処理が行われた場合に、保存された情報を履歴情報として前記サブディスプレイに表示させる請求項３に記載の情報処理装置。
【請求項５】
前記アプリケーション実行部は、前記サブディスプレイに表示されている前記所定のアプリケーションのウィンドウにおいてスワイプ操作が行われた場合に、前記所定のアプリケーションを終了する請求項１から４のいずれかに記載の情報処理装置。
【請求項６】
前記所定のアプリケーションは、ランチャーアプリケーションであり、
前記表示制御部は、ランチャー画面を前記サブディスプレイに表示する請求項１または２に記載の情報処理装置。
【請求項７】
前記ランチャー画面が前記サブディスプレイに表示されている場合において、前記接触面積が前記所定の面積閾値未満とされた場合に、前記アプリケーション実行部は、前記ランチャーアプリケーションを終了する請求項６に記載の情報処理装置。
【請求項８】
ペンが使用される状態であるペンモードか否かを判定するペンモード判定部を備え、
前記サブディスプレイはペン入力を受け付け可能であり、
前記アプリケーション実行部は、ペンモードか否かに応じて異なる前記所定のアプリケーションを実行する請求項１または２に記載の情報処理装置。
【請求項９】
前記アプリケーション実行部は、前記ペンモードである場合に、ペン入力を受け付ける前記所定のアプリケーションを起動させ、前記ペンモードでない場合に、ランチャーアプリケーションを起動させる請求項８に記載の情報処理装置。
【請求項１０】
第１筐体と、前記第１筐体に対して開閉可能に連結された第２筐体と、前記第２筐体に設けられたメインディスプレイと、前記第１筐体において前記第２筐体の端部側に沿って設けられたサブディスプレイと、前記第１筐体の上面において側部に設けられたタッチパッドとを備える情報処理装置の制御方法であって、
前記タッチパッドの操作面において所定の面積閾値以上の接触面積が検出された場合に、所定のアプリケーションを起動させる工程と、
起動させた前記所定のアプリケーションに関する表示を前記サブディスプレイに行う工程と
をコンピュータが実行する情報処理装置の制御方法。
【請求項１１】
第１筐体と、前記第１筐体に対して開閉可能に連結された第２筐体と、前記第２筐体に設けられたメインディスプレイと、前記第１筐体において前記第２筐体の端部側に沿って設けられたサブディスプレイと、前記第１筐体の上面において側部に設けられたタッチパッドとを備える情報処理装置に適用されるプログラムであって、
前記タッチパッドの操作面において所定の面積閾値以上の接触面積が検出された場合に、所定のアプリケーションを起動させる処理と、
起動させた前記所定のアプリケーションに関する表示を前記サブディスプレイに行う処理と
をコンピュータに実行させるためのプログラム。
【発明の詳細な説明】
【技術分野】
【０００１】
本発明は、情報処理装置及びその制御方法並びにプログラムに関するものである。
【背景技術】
【０００２】
ノートＰＣ等の情報処理装置では、キーボードの手前側（ユーザ側）にタッチパッドが設けられているものがある。このような構成を備える情報処理装置では、キーボードを用いてキー入力を行うときに、誤って手のひらの一部がタッチパッドに触れて、誤操作を引き起こす可能性がある。
このため、タッチパッド上において手のひらを検知した場合には、タッチパッドにおける入力操作を誤操作として取り扱う誤操作防止機能が組み込まれている（例えば、特許文献１参照）。
【先行技術文献】
【特許文献】
【０００３】
【特許文献１】特開２０１８−１０５１２号公報
【発明の概要】
【発明が解決しようとする課題】
【０００４】
ところで、上述したようなタッチパッドにおける誤操作は、概してキーボードよりもユーザ側にタッチパッドが配置された場合に生じるものであり、例えば、キーボードとタッチパッドとの相対的な位置関係が異なる場合には、タッチパッドの機能の多様性を高め、より利便性の高い情報処理装置を提供できる可能性がある。
【０００５】
本発明は、このような事情に鑑みてなされたものであって、利便性を向上させることのできる情報処理装置及びその制御方法並びにプログラムを提供することを目的とする。
【課題を解決するための手段】
【０００６】
本発明の第一態様は、第１筐体と第２筐体とを備え、前記第１筐体に対して前記第２筐体が開閉可能に連結された情報処理装置であって、前記第２筐体に設けられたメインディスプレイと、前記第１筐体において前記第２筐体の端部側に沿って設けられたサブディスプレイと、前記第１筐体の上面において側部に設けられたタッチパッドと、前記タッチパッドの操作面において所定の面積閾値以上の接触面積が検出された場合に、所定のアプリケーションを起動させるアプリケーション実行部と、起動させた前記所定のアプリケーションに関する表示を前記サブディスプレイに行う表示制御部とを具備する情報処理装置である。
【０００７】
本発明の第二態様は、第１筐体と、前記第１筐体に対して開閉可能に連結された第２筐体と、前記第２筐体に設けられたメインディスプレイと、前記第１筐体において前記第２筐体の端部側に沿って設けられたサブディスプレイと、前記第１筐体の上面において側部に設けられたタッチパッドとを備える情報処理装置の制御方法であって、前記タッチパッドの操作面において所定の面積閾値以上の接触面積が検出された場合に、所定のアプリケーションを起動させる工程と、起動させた前記所定のアプリケーションに関する表示を前記サブディスプレイに行う工程とをコンピュータが実行する情報処理装置の制御方法である。
【０００８】
本発明の第三態様は、第１筐体と、前記第１筐体に対して開閉可能に連結された第２筐体と、前記第２筐体に設けられたメインディスプレイと、前記第１筐体において前記第２筐体の端部側に沿って設けられたサブディスプレイと、前記第１筐体の上面において側部に設けられたタッチパッドとを備える情報処理装置に適用されるプログラムであって、前記タッチパッドの操作面において所定の面積閾値以上の接触面積が検出された場合に、所定のアプリケーションを起動させる処理と、起動させた前記所定のアプリケーションに関する表示を前記サブディスプレイに行う処理とをコンピュータに実行させるためのプログラムである。
【発明の効果】
【０００９】
本発明によれば、利便性を向上させることができるという効果を奏する。
【図面の簡単な説明】
【００１０】
【図１】本発明の第１実施形態に係るノートＰＣの概略外観図である。
【図２】本発明の第１実施形態に係るノートＰＣのハードウェア構成を概略的に示した図である。
【図３】本発明の第１実施形態に係るノートＰＣが備える機能の一部を模式的に示した機能構成図である。
【図４】本発明の第１実施形態に係るノートＰＣにおいて、手書きメモアプリケーションの起動時におけるサブディスプレイの表示例を示した図である。
【図５】本発明の第１実施形態に係るノートＰＣにおいて、手書きメモアプリケーションの使用状態の一例を示した図である。
【図６】本発明の第１実施形態に係るノートＰＣにおいて、手書きメモアプリケーションの履歴情報が表示された場合のサブディスプレイの表示例を示した図である。
【図７】本発明の第１実施形態に係るノートＰＣによって実行される処理の手順の一例について示したフローチャートである。
【図８】本発明の第２実施形態に係るノートＰＣが備える機能の一部を模式的に示した機能構成図である。
【図９】本発明の第２実施形態に係るノートＰＣにおいて、ランチャーアプリケーションの起動時におけるサブディスプレイの表示例を示した図である。
【図１０】本発明の第２実施形態に係るノートＰＣによって実行される処理の手順の一例について示したフローチャートである。
【図１１】本発明の第３実施形態に係るノートＰＣが備える機能の一部を模式的に示した機能構成図である。
【図１２】本発明の第３実施形態に係るノートＰＣにおいて第１筐体に設けられた格納部を拡大して示した拡大概略図である。
【図１３】本発明の第３実施形態に係るノートＰＣによって実行される処理の手順の一例について示したフローチャートである。
【発明を実施するための形態】
【００１１】
以下に、本発明に係る情報処理装置及びその制御方法並びにプログラムの各実施形態について、図面を参照して説明する。以下の実施形態では、情報処理装置の一例としてノートＰＣを例示して説明するが、本発明はこの例に限定されない。
【００１２】
〔第１実施形態〕
図１は、本発明の第１実施形態に係るノートＰＣ１の概略外観図である。図１に示すように、ノートＰＣ１は、いずれも略直方体である第１筐体２及び第２筐体３を備える、いわゆるクラムシェル型のパーソナルコンピュータである。第１筐体２及び第２筐体３は、例えば、それぞれの端部またはその近傍において連結部９ａによって連結されている。連結部９ａは、例えば、ヒンジであり、第１筐体２及び第２筐体３を開閉可能に支持している。
【００１３】
第１筐体２には、第２筐体３の端部側に沿ってサブディスプレイ１０が設けられている。サブディスプレイ１０は、例えば、連結部９ｂによって第１筐体２に連結されている。連結部９ｂは、例えば、ヒンジである。サブディスプレイ１０は、閉じた状態で第１筐体２の上面に設けられた収容部１１に収容可能とされ、開いた状態で収容部１１の収容面とサブディスプレイ１０の裏面（表示画面が設けられていない方の面）とのなす角度θが、例えば、２°≦θ２≦４０°の範囲となるように構成されている。
【００１４】
サブディスプレイ１０は、例えば、第１筐体２に対して第２筐体３が開いているときに、第１筐体２に対して開くように構成されている。サブディスプレイ１０は、手動で連結部９ｂ回りに回動するように構成されていてもよい。この場合、連結部９ｂとしては、所定の角度でサブディスプレイ１０を保持できるトルクヒンジなどを好適に用いることができる。また、バネなどの付勢部材を用いてサブディスプレイ１０を上方付勢状態としてもよい。この場合、第２筐体３が閉じられるときに、第２筐体３がサブディスプレイ１０を下方に押圧して収容部１１に収容させることができ、第２筐体３が開かれたときに、第２筐体３に連動して、自動的にサブディスプレイ１０を立ち上げることができる。
【００１５】
第１筐体２には、入力装置４が設けられている。入力装置４は、ユーザが入力操作を行うためのユーザインターフェースである。図１には、入力装置４の一例として、文字、コマンド等を入力する各種キーより構成されるキーボード５及びタッチパッド６が示されている。また、入力装置４は、マウス、トラックポイント等を含んでいてもよい。
【００１６】
キーボード５は、第１筐体２の上面において、サブディスプレイ１０を介して第２筐体３とは反対側に設けられている。例えば、キーボード５は、第１筐体２の上面においてほぼ中央部に設けられている。キーボード５は、ソフトウェアキーボードでもよいし、物理キーで構成されていてもよい。
【００１７】
タッチパッド６は、第１筐体２の上面において側部に設けられている。図１では、タッチパッド６は、第１筐体２の上面においてキーボード５の右側に設けられているが、この例に限定されず、キーボード５の左側に設けられていてもよい。
【００１８】
タッチパッド６は、例えば、静電容量式、抵抗膜式、又は電磁誘導式のタッチセンサを備え、操作面における入力操作を検知するような構成とされている。
【００１９】
第２筐体３には、画像を表示するメインディスプレイ８が設けられている。メインディスプレイ８は、第２筐体３が第１筐体２に対して閉じられた状態で、サブディスプレイ１０と対向する面上に配置されている。
【００２０】
図２は、本実施形態に係るノートＰＣ１のハードウェア構成を概略的に示した図である。ノートＰＣ１は、ＣＰＵ（Central  Processing  Unit）２０、ＲＯＭ（Read  Only  Memory）２１、メモリ２２、フラッシュメモリ２３、グラフィクスアダプタ２４、メインディスプレイ８、サブディスプレイ１０、通信デバイス２５、電源回路２６、入力装置４を備えている。これら各部は、バス２８を介して接続されている。
【００２１】
ＣＰＵ２０は、バス２８を介して接続されたフラッシュメモリ２３に格納されたＯＳ（Operating  System）によりノートＰＣ１全体の制御を行うとともに、フラッシュメモリ２３に格納された各種のプログラムに基づいて処理を実行する。
【００２２】
ＲＯＭ２１は、ＢＩＯＳ（Basic  Input/Output  System：基本入出力システム）や各種データ等を格納している。
メモリ２２は、キャッシュメモリやＲＡＭ（Random  Access  Memory）で構成されている。メモリ２２は、ＣＰＵ２０の実行プログラムの読み込み、及び実行プログラムによる処理データの書き込みを行う作業領域として利用される書き込み可能なメモリである。
【００２３】
フラッシュメモリ２３は、ノートＰＣ１の全体の制御を行うためのマルチウィンドウのＯＳ、周辺機器類をハードウェア操作するための各種ドライバ、ユーティリティプログラム、各種アプリケーションプログラム等を記憶する。なお、ノートＰＣ１は、フラッシュメモリ２３に替わる記憶手段としてＨＤＤ（Hard  Disk  Drive）等、他の記憶手段を備えてもよい。
【００２４】
グラフィクスアダプタ２４は、ＣＰＵ２０の制御に従って、表示情報をビデオ信号に変換し、変換したビデオ信号をメインディスプレイ８やサブディスプレイ１０に出力する。
【００２５】
メインディスプレイ８は、例えば、ＬＣＤ（Liquid  Crystal  Display）または有機ＥＬディスプレイ等であり、ＣＰＵ２０の制御に従って、グラフィクスアダプタ２４からのビデオ信号を画像として表示する。また、メインディスプレイ８は、タッチセンサ等の入力検知機能を備えたタッチパネルとして構成されていてもよい。
【００２６】
サブディスプレイ１０は、例えば、ＬＣＤ（Liquid  Crystal  Display）または有機ＥＬディスプレイ等であり、ＣＰＵ２０の制御に従って、グラフィクスアダプタ２４からのビデオ信号を画像として表示する。また、サブディスプレイ１０は、後述するタッチペン７による入力を受け付け可能な構成とされている。
【００２７】
通信デバイス２５は、他のデバイスとの間との通信を行う。
電源回路２６は、ＡＣアダプタ、電池、電池を充電するための充電器、及びＤＣ／ＤＣコンバータ等を備えており、ＣＰＵ２０の制御に従って、各構成に電力を供給する。
入力装置４を構成するキーボード５やタッチパッド６におけるユーザの入力操作に応じた入力信号は、バス２８を介してＣＰＵ２０に出力される。
図２に示したノートＰＣ１の構成や接続例は一例であり、この例に限定されない。
【００２８】
図３は、本実施形態に係るノートＰＣ１が備える機能の一部を模式的に示した機能構成図である。以下に説明する各種機能を実現するための処理は、プログラムの形式でコンピュータ読み取り可能な記録媒体に記憶されており、このプログラムをＣＰＵ２０等がＲＡＭに読み出して実行することにより、各種機能が実現される。なお、プログラムは、ＲＯＭやフラッシュメモリ２３等の記憶媒体に予めインストールしておく形態や、コンピュータ読み取り可能な記憶媒体に記憶された状態で提供される形態、有線又は無線による通信手段を介して配信される形態等が適用されてもよい。コンピュータ読み取り可能な記憶媒体とは、磁気ディスク、光磁気ディスク、ＣＤ−ＲＯＭ、ＤＶＤ−ＲＯＭ、半導体メモリ等である。
【００２９】
図３に示すように、本実施形態に係るノートＰＣ１は、接触面積検出部３１、判定部３２、アプリケーション実行部３３、表示制御部３４、記憶部３５を備えている。
【００３０】
接触面積検出部３１は、タッチパッド６の操作面への接触面積を検出する。具体的には、タッチパッド６が備えるセンサからの出力信号に基づいて接触面積を検出する。また、例えば、複数の箇所が同時またはほぼ同時に接触した場合には、それらの接触面積の合計値を接触面積として出力する。また、接触面積は瞬時値でもよいし、所定の時間において感圧センサから出力された圧力値を時間的及び空間的に統計処理した値でもよい。なお、タッチパッド６における接触面積の検出手法はパームリジェクション等の技術により公知であり、適宜適した手法を選択・採用すればよい。
【００３１】
判定部３２は、接触面積検出部３１によって検出された接触面積が予め設定されている面積閾値以上であるか否かを判定する。
ここで、面積閾値は、例えば、一般的な人間の手の指先の面積程度またはそれ以上の所定の面積に設定されている。一般的にカーソル操作やクリック操作をタッチパッド６から行う場合、ユーザは指先を用いて入力操作を行う。これに対し、指先よりも広い範囲が操作面に触れた場合には、カーソル操作やクリック操作以外の入力であると判定することが可能である。
なお、ユーザによって指先の面積が異なるため、面積閾値をカスタマイズできるような構成としてもよい。
【００３２】
アプリケーション実行部３３は、判定部３２によって面積閾値以上の接触面積であると判定された場合に、ペン入力を行うアプリケーションの起動指示が入力されたと判定し、ペン入力を受け付ける所定のアプリケーション、例えば、記憶部３５に格納されている手書きメモアプリケーションを起動させる。
【００３３】
表示制御部３４は、アプリケーション実行部３３からの指令に基づいてサブディスプレイ１０にアプリケーションに関する表示を行う。例えば、表示制御部３４は、アプリケーション実行部３３によって手書きメモアプリケーションが起動された場合に、手書きメモアプリケーションのウィンドウをサブディスプレイ１０に表示する。
【００３４】
例えば、表示制御部３４は、サブディスプレイ１０の表示領域の中で、タッチパッド６の近傍の領域に手書きメモアプリケーションのウィンドウを表示させる。本実施形態では、図４に示すように、サブディスプレイ１０の右側に手書きメモアプリケーションのウィンドウ４５を表示させる。
【００３５】
手書きメモアプリケーションの起動後においては、タッチペン７やキーボード５などの入力装置４からの入力情報に基づいてアプリケーション実行部３３が手書きメモアプリケーションを実行する。これにより、ユーザからの入力情報に応じたメモ書きがサブディスプレイ１０のウィンドウ４５内に表示される。また、手書きメモアプリケーションがアクティブの間において、アプリケーション実行部３３は、タッチパッド６における面積閾値以上の接触面積による入力指示を誤操作と判定し、その入力指示に基づく処理を行わないものとする（パームリジェクション機能）。これにより、例えば、図５に示すように、ユーザは手のひらの側部をタッチパッド６上に置きながらタッチペン７を使用してウィンドウ４５内に所望の内容を書き込むことができる。
【００３６】
また、例えば、タッチペン７やキーボード５等の入力装置４から保存指示が入力された場合、あるいは、所定の時間間隔、所定のタイミングにおいて、アプリケーション実行部３３は保存処理を行う。これにより、サブディスプレイ１０のウィンドウ４５に表示されている内容が記憶部３５に保存される。また、アプリケーション実行部３３は、図６に示すように、表示制御部３４を介して保存した情報を履歴情報４６としてサブディスプレイ１０に表示させる。このように、保存処理を行う度に、保存情報が履歴情報４６としてサブディスプレイ１０に表示されるので、ユーザはメモの履歴を容易に確認することが可能となる。
【００３７】
次に、本実施形態に係るノートＰＣ１によって実行される処理の手順の一例について図７を参照して説明する。なお、以下の説明においては、説明の便宜上、ペン入力を受け付ける所定のアプリケーションの一例として「手書きメモ」のアプリケーション（手書きメモアプリケーション）を例示して説明する。
図７は、本実施形態に係るノートＰＣ１によって実行される処理の手順の一例を示したフローチャートである。本処理は、例えば、ノートＰＣ１の起動をトリガとして開始される。
【００３８】
まず、タッチパッド６の操作面においてタッチを検出したか否かを判定する（ＳＡ１）。この結果、タッチがなければ（ＳＡ１：ＮＯ）、タッチが検出されるまでＳＡ１を繰り返す。一方、タッチが検出された場合には（ＳＡ１：ＹＥＳ）、その接触面積が予め設定されている面積閾値以上であるか否かを判定する（ＳＡ２）。この結果、接触面積が面積閾値未満である場合（ＳＡ２：ＮＯ）、換言すると、指先程度の接触面積である場合には、その入力操作に応じた処理が実行され、ステップＳＡ１に戻る。
【００３９】
一方、ステップＳＡ２において、接触面積が面積閾値以上である場合（ＳＡ２：ＹＥＳ）には、手書きメモアプリケーションを起動し（ＳＡ３）、「手書きメモ」のウィンドウ４５をサブディスプレイ１０に表示させる（ＳＡ４）。ここで、「手書きメモ」のアプリケーションがアクティブの間においては、タッチパッド６における面積閾値以上の接触面積を持つ入力操作を誤操作と判断し、その入力操作に基づく処理を行わないものとする（パームリジェクト機能）。
【００４０】
次に、手書きメモアプリケーションにおいて、保存処理を行ったか否かを判定し（ＳＡ５）、保存処理を行っていなければ（ＳＡ５：ＮＯ）、ステップＳＡ７に移行する。一方、保存処理を行った場合には、保存した情報を履歴情報としてサブディスプレイ１０に表示する（ＳＡ６）。続いて、手書きメモアプリケーションの終了指示が入力されたか否かを判定し（ＳＡ７）、入力されていれば手書きメモアプリケーションを終了し（ＳＡ８）、ステップＳＡ１に戻る。一方、アプリケーションの終了指示が入力されていなければ（ＳＡ７：ＮＯ）、ステップＳＡ５に戻り、以降の処理を繰り返し行う。
【００４１】
以上、説明してきたように、本実施形態に係るノートＰＣ１及びその制御方法並びにプログラムによれば、第１筐体２の側部にタッチパッド６が配置されているため、キーボード入力を行っている際に、手の一部が誤ってタッチパッド６に接触してしまうなどといった誤操作が発生しにくい。このため、所定の閾値以上の接触面積を有する接触が検出された場合には、ユーザの意思を伴う入力操作であるとみなすことができる。本実施形態では、このような所定の面積閾値以上の接触面積を有する入力操作を、ペン入力を受け付ける所定のアプリケーションの起動指示の入力と定義づけている。これにより、タッチパッドの機能の多様性を高め、より利便性の高い情報処理装置を提供することができる。
【００４２】
すなわち、タッチパッド６において所定の面積閾値以上の接触面積が検出された場合には、ペン入力を受け付けるアプリケーションの起動指示が入力されたと判定して、所定のアプリケーションを起動させる。これにより、手の側面をタッチパッド６に接触させるなどのワンアクションで、ペン入力のアプリケーションを容易に起動させることが可能となる。
【００４３】
更に、このようにして起動されたペン入力のアプリケーションがアクティブである間は、タッチパッド６における所定の面積閾値以上の接触面積を持つ入力操作を誤操作として取り扱うとともに（いわゆるパームリジェクション機能）、ペン入力を受け付けるアプリケーションのウィンドウ４５は、サブディスプレイ１０においてタッチパッド６が設けられている側に表示される。これにより、例えば、図５に示したように、ユーザは手の側面をタッチパッド６に置いたまま、サブディスプレイ１０に表示されたウィンドウ（例えば、メモパッド）４５に対してペン入力を行うことができる。
【００４４】
これにより、例えば、ユーザはペンを把持した状態でタッチパッド６にまず手の側面を置くことでペン入力を受け付ける所定のアプリケーションを起動させ、その状態を維持したままサブディスプレイ１０に表示されたウィンドウ（例えば、メモパッド）４５に対してペン入力を開始することができる。この結果、ペン入力を受け付けるアプリケーションの起動指示からペン入力までを連続した動きによって行うことが可能となり、利便性を更に高めることが可能となる。
【００４５】
〔第２実施形態〕
次に、本発明の第２実施形態に係る情報処理装置及びその制御方法並びにプログラムについて図面を参照して説明する。
上述した第１実施形態では、タッチパッド６における接触面積が所定の面積閾値以上である場合に、ペン入力を受け付ける所定のアプリケーションを起動させていたが、本実施形態においては、ランチャーアプリケーションを起動させる点で上述した第１実施形態と異なる。また、本実施形態においては、サブディスプレイ１０は必ずしもペン入力を検知可能な構成とされている必要はなく、指先の接触を検知できる機能を備えていれば足りる。
【００４６】
上記ランチャーアプリケーションとは、例えば、ＯＳ上でアプリケーションなどを簡単に起動できるようにした機能を持つアプリケーションである。ランチャーアプリケーションには、簡単に起動させるアプリケーションの情報が登録されている。なお、登録させるアプリケーションはユーザが適宜追加及び削除をすることが可能とされている。ランチャーアプリケーションは、起動時において、例えば、登録されているアプリケーションのアイコンを一覧として表示させ、いずれかのアイコンがユーザによって選択された場合に、選択されたアイコンに対応するアプリケーションを起動させる。
以下、本実施形態について上述した第１実施形態と共通する点については説明を省略し、異なる点について主に説明する。
【００４７】
図８は、本実施形態に係るノートＰＣが備える機能の一部を模式的に示した機能構成図である。図８に示すように、本実施形態に係るノートＰＣは、接触面積検出部３１、判定部３２、アプリケーション実行部３３、表示制御部３４、及び記憶部３５ａを備えている。記憶部３５ａには、ランチャーアプリケーション及びランチャーアプリケーションに登録されている各種アプリケーションの情報である登録アプリケーション情報等が格納されている。
【００４８】
接触面積検出部３１はタッチパッド６の操作面における接触面積を検出する。
判定部３２は、接触面積検出部３１によって検出された接触面積が所定の面積閾値以上であるか否かを判定する。
アプリケーション実行部３３は、判定部３２によって面積閾値以上の接触面積であると判定された場合に、ランチャーアプリケーションを起動させる。
【００４９】
表示制御部３４は、アプリケーション実行部３３からの指令に基づいてサブディスプレイ１０にアプリケーションに関する表示を行う。例えば、表示制御部３４は、アプリケーション実行部３３によってランチャーアプリケーションが起動された場合に、登録アプリケーション情報に基づくアプリケーションのアイコンをサブディスプレイ１０に表示させる。図９は、ランチャーアプリケーションの起動時におけるサブディスプレイ１０の表示例を示した図である。図９に示すように、サブディスプレイ１０には、登録アプリケーションのアイコン４８を含むランチャー画面が表示される。
【００５０】
アプリケーション実行部３３は、このランチャーアプリケーションにおいて、いずれか一つのアイコンが選択された場合には、選択されたアプリケーションを実行するとともに、ランチャーアプリケーションを終了する。これにより、サブディスプレイ１０に表示されていた各種アイコンのランチャー画面は非表示となる。また、アプリケーション実行部３３は、判定部３２によって所定の面積閾値以上であると判定されていた操作面への接触が所定の面積閾値未満となった場合に、ランチャーアプリケーションを終了させ、サブディスプレイ１０に表示されていたランチャー画面４７を非表示とする。これにより、例えば、ユーザが手の側面をタッチパッド６に置いている期間だけ、ランチャー画面がサブディスプレイ１０に表示されることとなる。
【００５１】
次に、本実施形態に係るノートＰＣによって実行される制御処理の一例について図１０を参照して説明する。図１０は、本実施形態に係るノートＰＣによって実行される処理の手順の一例を示したフローチャートである。本処理は、例えば、ノートＰＣの起動をトリガとして開始される。
【００５２】
まず、タッチパッド６の操作面においてタッチを検出したか否かを判定する（ＳＢ１）。この結果、タッチがなければ（ＳＢ１：ＮＯ）、タッチが検出されるまでＳＢ１を繰り返す。一方、タッチが検出された場合には（ＳＢ１：ＹＥＳ）、その接触面積が予め設定されている面積閾値以上であるか否かを判定する（ＳＢ２）。この結果、接触面積が面積閾値未満である場合（ＳＢ２：ＮＯ）、換言すると、指先程度の接触面積である場合には、その入力操作に応じた処理が実行され、ステップＳＢ１に戻る。
【００５３】
一方、ステップＳＢ２において、接触面積が面積閾値以上である場合（ＳＢ２：ＹＥＳ）には、ランチャーアプリケーションを起動し（ＳＢ３）、ランチャー画面をサブディスプレイ１０に表示させる（ＳＢ４）。
【００５４】
次に、ランチャー画面においていずれかのアイコンが選択されたか否かを判定する（ＳＢ５）。この結果、アイコンが選択されていない場合には（ＳＢ５：ＮＯ）、接触面積が面積閾値未満であるか否かを判定する（ＳＢ６）。すなわち、操作面から手の側面が離れたか否かを判定する。この結果、接触面積が面積閾値未満でない場合には（ＳＢ６：ＮＯ）、ステップＳＢ４に戻る。
一方、ステップＳＢ５においてアイコンが選択された場合（ＳＢ５：ＹＥＳ）、または、ステップＳＢ６において接触面積が面積閾値未満である場合には（ＳＢ６：ＹＥＳ）、ランチャーアプリケーションを終了し（ＳＢ７）、ステップＳＢ１に戻る。これにより、サブディスプレイ１０に表示されていたランチャー画面が非表示となる。
【００５５】
以上、説明してきたように、本実施形態に係る情報処理装置及びその制御方法並びにプログラムによれば、タッチパッド６において所定の面積閾値以上の接触面積が検出された場合には、ランチャーアプリケーションの起動指示が入力されたと判定して、ランチャーアプリケーションを起動させる。これにより、手の側面をタッチパッド６に接触させるなどのワンアクションでランチャー画面をサブディスプレイ１０に表示させることが可能となる。
【００５６】
また、ランチャー画面４７は、図９に示すように、サブディスプレイ１０においてタッチパッド６が設けられている側に表示されるので、ユーザは図９に示したように、手の側面をタッチパッド６に置いたまま、ランチャー画面に表示されたアイコンの選択操作を行うことができる。これにより、ランチャー画面に表示された登録アプリケーションにおいて、所望のアプリケーションを容易に起動させることができる。
【００５７】
また、タッチパッド６の操作面における接触が所定の面積閾値未満であると判定された場合には、ランチャーアプリケーションが終了される。これにより、ランチャーアプリケーションの起動後においては、ユーザはタッチパッド６から手を離すことにより容易にランチャー画面を非表示とすることができる。
【００５８】
〔第３実施形態〕
次に、本発明の第３実施形態に係る情報処理装置及びその制御方法並びにプログラムについて図面を参照して説明する。上述した各実施形態では、タッチパッド６の操作面において所定の面積閾値以上の接触面積が検出された場合に、所定のアプリケーションを起動させ、そのアプリケーションに関する表示をサブディスプレイ１０に行っていた。本実施形態では、接触面積に基づく上記判定に加えて、ペンモードか否かの判定を行う。そして、ペンモードか否かに応じて起動させるアプリケーションを異ならせる。具体的には、ペンモードである場合に、ペン入力を受け付ける所定のアプリケーションを起動させ、ペンモードでない場合にランチャーアプリケーションを起動させる。
以下、本実施形態について上述した実施形態と共通する点については説明を省略し、異なる点について主に説明する。
【００５９】
図１１は、本実施形態に係るノートＰＣが備える機能の一部を模式的に示した機能構成図である。図１１に示すように、本実施形態に係るノートＰＣは、接触面積検出部３１、判定部３２、アプリケーション実行部３３、表示制御部３４、記憶部３５ｂ、及びペンモード判定部３６を備えている。記憶部３５ｂには、ペンモードを受け付ける所定のアプリケーションとして、例えば、手書きメモアプリケーションが格納されている。また、記憶部３５ｂには、ランチャーアプリケーション、及びランチャーアプリケーションに登録されている各種アプリケーションの情報である登録アプリケーション情報が格納されている。
【００６０】
接触面積検出部３１はタッチパッド６の操作面における接触面積を検出する。
判定部３２は、接触面積検出部３１によって検出された接触面積が所定の面積閾値以上であるか否かを判定する。
【００６１】
ペンモード判定部３６は、タッチペン７が使用される状態であるペンモードを認識する。例えば、本実施形態におけるノートＰＣは、第１筐体２の一側面にタッチペン７を格納する格納部１３が設けられている。図１２は、第１筐体２に設けられた格納部１３の拡大概略図である。図１２に示すように、格納部１３には、格納検知スイッチ１５が設けられている。格納検知スイッチ１５は、格納部１３へのタッチペン７の格納の有無を検知する。より具体的には、タッチペン７が格納部１３に格納されると、格納検知スイッチ１５が第１筐体２の内部方向（図１２のＡ方向）へ押し下げられる。一方、タッチペン７が格納部１３から取り出されると、格納検知スイッチ１５が格納部１３の内部方向（図１２のＢ方向）へ押し上げられる。すなわち、格納検知スイッチ１５は、押し上げられることで、タッチペン７が取り出されたことを検知し、格納検知スイッチ１５は、押し下げられることで、タッチペン７が格納されたことを検知する。なお、格納検知スイッチ１５が押し上げられた状態をオフ状態ともいい、格納検知スイッチ１５が押し下げられた状態をオン状態ともいう。
【００６２】
ペンモード判定部３６は、例えば、格納検知スイッチ１５からの信号に基づいてタッチペン７が使用される状態であるペンモードか否かを判定する。より具体的には、格納検知スイッチ１５がオフ状態となった場合にペンモードであると判定する。
ここで、タッチペン７は、ユーザが携帯でき、かつユーザによって把持されてノートＰＣの入力デバイスとして使用される指示体である。なお、タッチペン７の種類は特に限定されず、パッシブ式、アクティブ式、又は他の種類であってもよい。
【００６３】
アプリケーション実行部３３は、接触面積検出部３１によって検出された接触面積が所定の面積閾値以上であり、ペンモード判定部３６によってペンモードであると判定された場合に、手書きメモアプリケーションを起動させる。これにより、第１実施形態で詳述したように、表示制御部３４により、サブディスプレイ１０にメモパッド等のウィンドウ４５が表示される（図４参照）。
【００６４】
一方、アプリケーション実行部３３は、接触面積検出部３１によって検出された接触面積が所定の面積閾値以上であり、ペンモード判定部３６によってペンモードでないと判定された場合に、ランチャーアプリケーションを起動させる。これにより、第２実施形態で詳述したように、表示制御部３４により、サブディスプレイ１０にランチャー画面４７（図９参照）が表示される。
【００６５】
なお、手書きメモアプリケーション、ランチャーアプリケーションが起動された後の各処理は上述した通りであるので、本実施形態での説明は省略する。
【００６６】
次に、本実施形態に係るノートＰＣによって実行される処理の一例について図１３を参照して説明する。図１３は、本実施形態に係るノートＰＣによって実行される処理の手順の一例を示したフローチャートである。本処理は、例えば、ノートＰＣの起動をトリガとして開始される。
【００６７】
まず、タッチパッド６の操作面においてタッチを検出したか否かを判定する（ＳＣ１）。この結果、タッチがなければ（ＳＣ１：ＮＯ）、タッチが検出されるまでＳＣ１を繰り返す。一方、タッチが検出された場合には（ＳＣ１：ＹＥＳ）、その接触面積が予め設定されている面積閾値以上であるか否かを判定する（ＳＣ２）。この結果、接触面積が面積閾値未満である場合（ＳＣ２：ＮＯ）、換言すると、指先程度の接触面積である場合には、その入力操作に応じた処理が実行され、ステップＳＣ１に戻る。
【００６８】
一方、ステップＳＣ２において、接触面積が面積閾値以上である場合（ＳＣ２：ＹＥＳ）には、ペンモードであるか否かを判定する（ＳＣ３）。この結果、ペンモードであると判定した場合には（ＳＣ３：ＹＥＳ）、手書きメモアプリケーションを起動させる（ＳＣ４）。これにより、図４に示したように、サブディスプレイ１０には、手書きメモアプリケーションのウィンドウ４５が表示されることとなる。なお、手書きメモアプリケーションの起動後における処理は第１実施形態で詳述した通りである。
【００６９】
また、ステップＳＣ３においてペンモードでないと判定した場合には、ランチャーアプリケーションを起動させる（ＳＣ５）。これにより、図９に示したように、サブディスプレイ１０には、ランチャー画面４７が表示されることとなる。なお、ランチャーアプリケーションの起動後における処理は第２実施形態で詳述した通りである。
【００７０】
以上、説明してきたように、本実施形態に係る情報処理装置及びその制御方法並びにプログラムによれば、タッチパッド６において所定の面積閾値以上の接触面積が検出された場合であって、ペンモードの場合には、ペン入力を受け付ける所定のアプリケーションの起動指示が入力されたと判定して、ペン入力を受け付ける所定のアプリケーションを起動させる。これにより、タッチペン７を把持した手の側面をタッチパッド６に接触させるなどのワンアクションで、ペン入力のアプリケーションを容易に起動させることが可能となる。
【００７１】
一方、タッチパッド６において所定の面積閾値以上の接触面積が検出された場合であって、ペンモードでない場合には、ランチャーアプリケーションの起動指示が入力されたと判定して、ランチャーアプリケーションを起動させる。これにより、手の側面をタッチパッド６に接触させるなどのワンアクションでランチャー画面４７をサブディスプレイ１０に表示させることが可能となる。
このように、ペンモードでない場合には、ユーザがペン入力を望んでいないとみなすことができるので、ペン入力を受け付けるアプリケーション以外のアプリケーション、例えば、ランチャーアプリケーションを起動させることで、ユーザが所望するアプリケーションを容易に選択、起動させることが可能となる。
【００７２】
なお、本実施形態では、格納部１３へのタッチペン７の格納の有無を検知する検知手段を格納検知スイッチ１５とする形態について説明したが、本発明は、これに限定されるものではない。例えば、検知手段は、タッチペン７の格納の有無を検知できればよく、例えば、タッチペン７に磁石を設置し、上記検知手段として磁力を検知するホール素子を格納部１３に設置してもよい。この場合、ペンモード判定部３６は、ホール素子からの信号に基づいてペンモードか否かを判定する。
【００７３】
また他の態様として、例えば、サブディスプレイ１０またはメインディスプレイ８がペンモードの開始を示す画像を表示し、ユーザがこの画像にタッチした場合に、ペンモード判定部３６がペンモードであると判定してもよい。また、タッチペン７にユーザによって把持されたことを検知するセンサ又はユーザにより操作されるスイッチが設けられ、ペンモード判定部がこのセンサからの検知結果又はスイッチの操作状態を示す信号を受信することにより、ペンモードか否かを判定することとしてもよい。
【００７４】
以上、本発明について実施形態を用いて説明したが、本発明の技術的範囲は上記実施形態に記載の範囲には限定されない。発明の要旨を逸脱しない範囲で上記実施形態に多様な変更又は改良を加えることができ、該変更又は改良を加えた形態も本発明の技術的範囲に含まれる。また、各実施形態を適宜組み合わせてもよい。
また、上記実施形態で説明した表示制御処理の流れも一例であり、本発明の主旨を逸脱しない範囲内において不要なステップを削除したり、新たなステップを追加したり、処理順序を入れ替えたりしてもよい。
【００７５】
例えば、各実施形態において、サブディスプレイ１０は、ある角度範囲で傾斜可能な構成とされていたが、これに限定されない。例えば、ヒンジ回りに回動する機能を有しておらず、第１筐体２の上面に設置される構成とされていてもよい。
【符号の説明】
【００７６】
１      ：ノートＰＣ
２      ：第１筐体
３      ：第２筐体
４      ：入力装置
５      ：キーボード
６      ：タッチパッド
７      ：タッチペン
８      ：メインディスプレイ
９ａ    ：連結部
９ｂ    ：連結部
１０    ：サブディスプレイ
１１    ：収容部
１３    ：格納部
１５    ：格納検知スイッチ
２０    ：ＣＰＵ
２１    ：ＲＯＭ
２２    ：メモリ
２３    ：フラッシュメモリ
２４    ：グラフィクスアダプタ
２５    ：通信デバイス
２６    ：電源回路
２８    ：バス
３１    ：接触面積検出部
３２    ：判定部
３３    ：アプリケーション実行部
３４    ：表示制御部
３５    ：記憶部
３５ａ  ：記憶部
３５ｂ  ：記憶部
３６    ：ペンモード判定部
４５    ：ウィンドウ
４６    ：履歴情報
４７    ：ランチャー画面
４８    ：アイコン
【図１】
2020140470.tif 000003
【図２】
2020140470.tif 000004
【図３】
2020140470.tif 000005
【図４】
2020140470.tif 000006
【図５】
2020140470.tif 000007
【図６】
2020140470.tif 000008
【図７】
2020140470.tif 000009
【図８】
2020140470.tif 000010
【図９】
2020140470.tif 000011
【図１０】
2020140470.tif 000012
【図１１】
2020140470.tif 000013
【図１２】
2020140470.tif 000014
【図１３】
2020140470.tif 000015
【手続補正書】
【提出日】令和2年7月10日(2020.7.10)
【手続補正１】
【補正対象書類名】特許請求の範囲
【補正対象項目名】全文
【補正方法】変更
【補正の内容】
【特許請求の範囲】
【請求項１】
第１筐体と第２筐体とを備え、前記第１筐体に対して前記第２筐体が開閉可能に連結された情報処理装置であって、
前記第２筐体に設けられたメインディスプレイと、
前記第１筐体において前記第２筐体の端部側に沿って設けられたサブディスプレイと、
前記第１筐体の上面において側部に設けられたタッチパッドと、
前記タッチパッドの操作面において所定の面積閾値以上の接触面積が検出された場合に、所定のアプリケーションを起動させるアプリケーション実行部と、
前記サブディスプレイの表示領域の中で前記タッチパッドの近傍の領域に、起動させた前記所定のアプリケーションに関する表示を行う表示制御部と
を具備する情報処理装置。
【請求項２】
前記サブディスプレイは、ペン入力を受け付け可能であり、
前記所定のアプリケーションはペン入力を受け付けるアプリケーションであり、
前記表示制御部は、前記サブディスプレイに前記所定のアプリケーションのウィンドウを表示させる請求項１に記載の情報処理装置。
【請求項３】
前記表示制御部は、前記サブディスプレイに表示されている前記所定のアプリケーションにおいて保存処理が行われた場合に、保存された情報を履歴情報として前記サブディスプレイに表示させる請求項２に記載の情報処理装置。
【請求項４】
前記所定のアプリケーションは、ランチャーアプリケーションであり、
前記表示制御部は、ランチャー画面を前記サブディスプレイに表示する請求項１に記載の情報処理装置。
【請求項５】
前記ランチャー画面が前記サブディスプレイに表示されている場合において、前記接触面積が前記所定の面積閾値未満とされた場合に、前記アプリケーション実行部は、前記ランチャーアプリケーションを終了する請求項４に記載の情報処理装置。
【請求項６】
前記アプリケーション実行部は、複数のアイコンを含む前記ランチャー画面が前記サブディスプレイに表示されている場合において、いずれか一つのアイコンが選択された場合に、前記ランチャーアプリケーションを終了する請求項４に記載の情報処理装置。
【請求項７】
第１筐体と第２筐体とを備え、前記第１筐体に対して前記第２筐体が開閉可能に連結された情報処理装置であって、
前記第２筐体に設けられたメインディスプレイと、
前記第１筐体において前記第２筐体の端部側に沿って設けられたサブディスプレイと、
前記第１筐体の上面において側部に設けられたタッチパッドと、
前記タッチパッドの操作面において所定の面積閾値以上の接触面積が検出された場合に、所定のアプリケーションを起動させるアプリケーション実行部と、
起動させた前記所定のアプリケーションに関する表示を前記サブディスプレイに行う表示制御部と、
ペンが使用される状態であるペンモードか否かを判定するペンモード判定部と
を具備し、
前記サブディスプレイはペン入力を受け付け可能であり、
前記アプリケーション実行部は、前記ペンモードである場合に、ペン入力を受け付ける前記所定のアプリケーションを起動させ、前記ペンモードでない場合に、ランチャーアプリケーションを起動させる情報処理装置。
【請求項８】
第１筐体と、前記第１筐体に対して開閉可能に連結された第２筐体と、前記第２筐体に設けられたメインディスプレイと、前記第１筐体において前記第２筐体の端部側に沿って設けられたサブディスプレイと、前記第１筐体の上面において側部に設けられたタッチパッドとを備える情報処理装置の制御方法であって、
前記タッチパッドの操作面において所定の面積閾値以上の接触面積が検出された場合に、所定のアプリケーションを起動させる工程と、
前記サブディスプレイの表示領域の中で前記タッチパッドの近傍の領域に、起動させた前記所定のアプリケーションに関する表示を行う工程と
をコンピュータが実行する情報処理装置の制御方法。
【請求項９】
第１筐体と、前記第１筐体に対して開閉可能に連結された第２筐体と、前記第２筐体に設けられたメインディスプレイと、前記第１筐体において前記第２筐体の端部側に沿って設けられ、ペン入力を受け付け可能であるサブディスプレイと、前記第１筐体の上面において側部に設けられたタッチパッドとを備える情報処理装置の制御方法であって、
ペンが使用される状態であるペンモードか否かを判定する工程と、
前記タッチパッドの操作面において所定の面積閾値以上の接触面積が検出され、前記ペンモードである場合に、ペン入力を受け付ける前記所定のアプリケーションを起動させ、前記タッチパッドの操作面において所定の面積閾値以上の接触面積が検出され、前記ペンモードでない場合に、ランチャーアプリケーションを起動させる工程と、
起動させた前記所定のアプリケーションに関する表示を前記サブディスプレイに行う工程とをコンピュータが実行する情報処理装置の制御方法。
【手続補正２】
【補正対象書類名】明細書
【補正対象項目名】０００６
【補正方法】変更
【補正の内容】
【０００６】
本発明の第一態様は、第１筐体と第２筐体とを備え、前記第１筐体に対して前記第２筐体が開閉可能に連結された情報処理装置であって、前記第２筐体に設けられたメインディスプレイと、前記第１筐体において前記第２筐体の端部側に沿って設けられたサブディスプレイと、前記第１筐体の上面において側部に設けられたタッチパッドと、前記タッチパッドの操作面において所定の面積閾値以上の接触面積が検出された場合に、所定のアプリケーションを起動させるアプリケーション実行部と、前記サブディスプレイの表示領域の中で前記タッチパッドの近傍の領域に、起動させた前記所定のアプリケーションに関する表示を行う表示制御部とを具備する情報処理装置である。
本発明の第二態様は、第１筐体と第２筐体とを備え、前記第１筐体に対して前記第２筐体が開閉可能に連結された情報処理装置であって、前記第２筐体に設けられたメインディスプレイと、前記第１筐体において前記第２筐体の端部側に沿って設けられたサブディスプレイと、前記第１筐体の上面において側部に設けられたタッチパッドと、前記タッチパッドの操作面において所定の面積閾値以上の接触面積が検出された場合に、所定のアプリケーションを起動させるアプリケーション実行部と、起動させた前記所定のアプリケーションに関する表示を前記サブディスプレイに行う表示制御部と、ペンが使用される状態であるペンモードか否かを判定するペンモード判定部とを具備し、前記サブディスプレイはペン入力を受け付け可能であり、前記アプリケーション実行部は、前記ペンモードである場合に、ペン入力を受け付ける前記所定のアプリケーションを起動させ、前記ペンモードでない場合に、ランチャーアプリケーションを起動させる情報処理装置である。
【手続補正３】
【補正対象書類名】明細書
【補正対象項目名】０００７
【補正方法】変更
【補正の内容】
【０００７】
本発明の第三態様は、第１筐体と、前記第１筐体に対して開閉可能に連結された第２筐体と、前記第２筐体に設けられたメインディスプレイと、前記第１筐体において前記第２筐体の端部側に沿って設けられたサブディスプレイと、前記第１筐体の上面において側部に設けられたタッチパッドとを備える情報処理装置の制御方法であって、前記タッチパッドの操作面において所定の面積閾値以上の接触面積が検出された場合に、所定のアプリケーションを起動させる工程と、前記サブディスプレイの表示領域の中で前記タッチパッドの近傍の領域に、起動させた前記所定のアプリケーションに関する表示を行う工程とをコンピュータが実行する情報処理装置の制御方法である。
【手続補正４】
【補正対象書類名】明細書
【補正対象項目名】０００８
【補正方法】変更
【補正の内容】
【０００８】
本発明の第四態様は、第１筐体と、前記第１筐体に対して開閉可能に連結された第２筐体と、前記第２筐体に設けられたメインディスプレイと、前記第１筐体において前記第２筐体の端部側に沿って設けられ、ペン入力を受け付け可能であるサブディスプレイと、前記第１筐体の上面において側部に設けられたタッチパッドとを備える情報処理装置の制御方法であって、ペンが使用される状態であるペンモードか否かを判定する工程と、前記タッチパッドの操作面において所定の面積閾値以上の接触面積が検出され、前記ペンモードである場合に、ペン入力を受け付ける前記所定のアプリケーションを起動させ、前記タッチパッドの操作面において所定の面積閾値以上の接触面積が検出され、前記ペンモードでない場合に、ランチャーアプリケーションを起動させる工程と、起動させた前記所定のアプリケーションに関する表示を前記サブディスプレイに行う工程とをコンピュータが実行する情報処理装置の制御方法である。